(57)【要約】【課題】  生体認証装置において、指などの接触面が不衛生感を与えるため、指の接触をしなくても指の位置を固定できるようにすること。【解決手段】  指が接触するガラス面に複数の小さな穴を開け、穴から空気を噴出することにより、指を接触面から浮上させる。【選択図】図１
2008097165.tif 000002
【特許請求の範囲】
【請求項１】
生体認証を行う装置であって、
生体情報の読取装置に設置されている生体器官との接触面に空気の噴出穴を設け、空気の噴出穴から空気を噴出する機能を有することを特徴とする生体認証装置。
【請求項２】
前記生体認証装置は、指の静脈パターンを読み取る機能を有することを特徴とする請求項１に記載の生体認証装置。
【請求項３】
前記空気の噴出穴は、中心から外側に空気が噴出するよう斜め向きに穴を開けていることを特徴とする請求項１もしくは２の何れかに記載の生体認証装置。
【請求項４】
前記空気の噴出のタイミングは、センサーにより生体器官の接近を検知したことにより開始されることを特徴とする請求項１から３の何れかに記載の生体認証装置。
【請求項５】
前記生体認証装置は、空気の噴出穴が開いていることによる屈折率の違いを自動的に補正する機能を有することを特徴とする請求項１から４の何れかに記載の生体認証装置。
【発明の詳細な説明】
【技術分野】
【０００１】
本発明は、人が持つ生体上の特徴、例えば血管パターンを検出する装置およびそれを利用して個人を識別するための個人識別装置に関するものである。
【背景技術】
【０００２】
近年、パスワードを用いた個人識別の安全性が問題となり、生体情報を用いた個人識別が普及しつつある。例えばATM(Automated Teller Machine)では、指の静脈を用いた認証装置や、手のひらの静脈を用いた認証装置が登場している（特許文献１、２）。
【０００３】
【特許文献１】特開平７−２１３７３号
【特許文献２】英国特許２１５６１２７B号
【発明の開示】
【発明が解決しようとする課題】
【０００４】
これら静脈を用いた認証装置は、盗難や偽造が非常に難しいという利点がある。特に指静脈を用いた認証装置は、小型化が容易なことから、ドアノブに内蔵するなどの応用が図られている。
しかし、静脈を用いた認証装置は、透過光や反射光の強度測定により認証を行っていることから、強度測定用カメラと指や手のひらを、測定可能な位置に置く必要がある。
このため、指静脈を用いた認証装置は、指の位置を固定する為に、指との接触面が必要となる。しかし、多くの人が利用する装置で接触面を共有する点で、利用者に不衛生感を与える可能性があるという問題がある。
【０００５】
解決しようとする課題は、指静脈を用いた認証装置において、指の接触をしなくても指の位置を固定できるような機能を提供することである。
【課題を解決するための手段】
【０００６】
本発明は、生体情報の読取装置に設置されている指などの生体器官と指が接触するガラス面などの接触面に複数の小さな穴を開け、穴から空気を噴出する手段を用いることにより、指を接触面から浮上させることを最も主要な特徴とする。
生体認証としては、指の静脈パターンを読み取るなどで行うようにし、空気の噴出穴は、中心から外側に空気が噴出するよう斜め向きに穴を開けるようにし、空気の噴出のタイミングは、センサーにより生体器官の接近を検知したことにより開始されようにしている。
【発明の効果】
【０００７】
本発明の生体認証装置は、認証時に利用者の手や指の接触を防止することにより、不衛生感を与えないという効果がある。
【発明を実施するための最良の形態】
【０００８】
生体認証装置の接触面に複数の小さな穴を開け、穴から空気を噴出することにより、手や指が接触しなくても特定位置で利用者の生体認証情報を得るという目的を、簡易な構成で実現した。
【実施例１】
【０００９】
以下、本発明の実施例１について説明する。
図１は、本発明の実施例１による生体認証装置の全体図であり、特に指の静脈パターンを読み取って認証に用いる装置である。
101は指を置くための透明な板である。102は、空間103を作るための透明な板である。空間103は穴105および加圧機112を除き密閉されている。104は指を置く位置を示す線である。105は、透明な板101に開けられた穴である。111は、静脈パターンを読み取るための光源であり、反射／透過した光はCCD(Charge Coupled Devices)などの読み取り機131で読み取ることができる。
112は、空間103を加圧するための加圧機である。加圧機112が空気を送出すると、空間103が加圧され、穴105から空気が噴出する。
【００１０】
図２は、本発明の生体認証装置を上面から見た図である。110は光源111を含む右ユニットであり、加圧機112を含んでも良い。なお、加圧機112は空間103を加圧することができれば、他の場所に存在しても良い。120は110と同じく光源を含む左ユニットである。
なお、110および120は、静脈パターンを読み取るための他の方法でも良い。例えば、110や120に読み取り機や鏡を内蔵しても良い。
以上のような構成において、穴105から適度な空気が噴出している場合、利用者が指を領域104に置いても、板101と指との間に隙間を設けることができる。
【００１１】
穴105から空気を噴出させるためには、加圧機112が動作し空間103を加圧する必要があるが、動作の開始タイミングは、ユーザが接近したことをセンサーで検知するか、本生体認証装置の付近にセンサーを設け、指を本装置に近づけたときに開始しても良い。もしくは、常時加圧してもよい。加圧機の動作停止のタイミングは、指を本装置から離したことをセンサーで検知して停止するか、ユーザが遠ざかったことをセンサーで検知し、停止してもよい。
【００１２】
また、穴105を設けることにより、穴の部分の屈折率が他の板101の部分と異なるため、本装置の設置時などにテスト用の指模型などを用いてキャリブレーション（事前測定による誤差修正）を行っても良い。キャリブレーションの方法としては、まず穴が開いていないときのテスト用静脈パターンを記録しておき、次に穴が開いているときのテスト用静脈パターンを読み取る。次に、穴が開いているときのパターンを穴が開いていないときと同様のパターンに光の強度を補正すればよい。キャリブレーションを行うことにより、穴の位置が異なる生体認証装置を用いても、穴が開いていない状態の情報を用いて認証を行うことができる。
【００１３】
また、本実施例では、空間103を板101と板103で形成しているが、例えば加圧機と穴105をチューブなどで直接結ぶ構成にしてもよい。その場合は、空間103は不要となる。
また、穴105は、板101と垂直に開けても良いが、斜め方向に開けても良い。例えば、図３のように穴105を開けても良い。このような構成にすると、指が板101に十分接近するまでは風圧を感じないため、利用者は板101に十分近い位置まで指を移動することができる。
【図面の簡単な説明】
【００１４】
【図１】本発明の実施例による生体認証装置の構成図である。
【図２】本発明の実施例による生体認証装置を上から見た構成図である。
【図３】本発明の実施例による生体認証装置の穴を斜めに開けた場合の、断面図である。
【符号の説明】
【００１５】
１０１    接触面用透明板
１０２    加圧空間形成用透明板
１０３    加圧空間
１０４    指設置場所指示線
１０５    空気噴出穴
１１０    右側ユニット
１１１    右側光源
１１２    加圧機
１２０    左側ユニット
１３１    静脈パターン読み取り機
【図１】
2008097165.tif 000003
【図２】
2008097165.tif 000004
【図３】
2008097165.tif 000005